(57)【要約】【課題】三次元コンテンツの視聴中の画像シーンを見たユーザによるオブジェクトの購入及びユーザ利便性を向上すること。【解決手段】仮想現実空間内においてプレイヤ１５が視線を向けているオブジェクトへの視線情報を検出する視線情報検出手段を備えるヘッドマウントディスプレイ２０と、オブジェクトの属性に属する商品情報を格納するオブジェクト情報テーブルとを備え、視線情報検出手段を用いて検出した視線情報に基づいて特定のオブジェクトを決定し、該決定した特定オブジェクト属性に属する商品情報をヘッドマウントディスプレイ２０に表示する映像表示システム。【選択図】図１
2019160112.tif 000002
【特許請求の範囲】
【請求項１】
コンテンツに登場するオブジェクトを含む複数の画像シーンをユーザが仮想現実空間として目視可能にディスプレイに表示し、前記オブジェクトに関する情報を表示する制御手段を含む映像表示システムであって、
前記仮想現実空間内においてユーザが視線を向けているオブジェクトへの視線情報を検出する視線情報検出手段と、
前記オブジェクトの属性に属する商品情報を格納するオブジェクト情報テーブルとを備え、
前記制御手段が、前記視線情報検出手段を用いて検出した視線情報に基づいて特定のオブジェクトを決定し、該決定した特定オブジェクト属性に属する商品情報をディスプレイに表示することを特徴とする映像表示システム。
【請求項２】
前記制御手段が、前記視線情報検出手段を用いて検出した視線情報のオブジェクトに対する動きの履歴に基づいて特定のオブジェクトを決定することを特徴とする請求項１に記載の映像表示システム。
【請求項３】
前記動きの履歴が、前記視線情報検出手段を用いて検出した視線情報のオブジェクトに対して視線が向けられた時間であり、
前記制御手段が、前記視線情報のオブジェクトに対して視線が向けられた時間を集計し、該集計した時間が所定時間を越えた又は相対的に長いオブジェクトの属性に属する商品情報を表示することを特徴とする請求項２に記載の映像表示システム。
【請求項４】
前記動きの履歴が、前記視線情報検出手段を用いて検出した視線情報のオブジェクトに対して視線が向けられた回数であり、
前記制御手段が、前記視線情報のオブジェクトに対して視線が向けられた回数を集計し、該集計した回数が所定値を越えたとき又は相対的に多いオブジェクトの属性に属する商品情報を表示することを特徴とする請求項２に記載の映像表示システム。
【請求項５】
前記オブジェクトに対応するタグが付与され、
前記制御手段が、前記視線情報検出手段を用いて検出した視線情報のオブジェクトに基づいて読み取ったタグ読み取り回数であり、
前記制御手段が、前記視線情報のオブジェクトから読み取ったタグ読み取り回数を集計し、該集計した読み取り回数が所定値を越えとき又は相対的に多いオブジェクトの属性に属する商品情報を表示することを特徴とする請求項２に記載の映像表示システム。
【請求項６】
前記視線情報検出手段が、ゲームエンジンの簡易プログラムであるＲａｙＳｃｒｉｐｔ及びＲａｙｃａｓｔＨＩＴを用い、ＲａｙＳｃｒｉｐｔにより仮想のレーザービームをｒａｙに沿って原点から発してオブジェクトに衝突するまで進ませ、ＲａｙｃａｓｔＨＩＴにより前記衝突したオブジェクトの座標を制御手段に返すことにより、ユーザが視線を向けているオブジェクトへの視線情報を検出することを特徴とする請求項１から５の何れかに記載の映像表示システム。
【請求項７】
仮想現実空間内においてユーザが視線を向けているオブジェクトへの視線情報を検出する視線情報検出手段と、前記オブジェクトの属性に属する商品情報を格納するオブジェクト情報テーブルと、コンテンツに登場するオブジェクトを含む複数の画像シーンをユーザが仮想現実空間として目視可能にディスプレイに表示し、前記オブジェクトに関する情報を表示する制御手段とを備えるコンピュータシステムの映像表示方法であって、
前記制御手段に、
前記視線情報検出手段を用いて検出した視線情報に基づいて特定のオブジェクトを決定させる手順と、
該手順により決定した特定オブジェクト属性に属する商品情報をディスプレイに表示させる手順とを実行させることを特徴とする映像表示方法。
【請求項８】
仮想現実空間内においてユーザが視線を向けているオブジェクトへの視線情報を検出する視線情報検出手段と、前記オブジェクトの属性に属する商品情報を格納するオブジェクト情報テーブルと、コンテンツに登場するオブジェクトを含む複数の画像シーンをユーザが仮想現実空間として目視可能にディスプレイに表示し、前記オブジェクトに関する情報の制御手段とを備えたコンピュータシステムの映像表示プログラムであって、
前記制御手段に、
前記視線情報検出手段を用いて検出した視線情報に基づいて特定のオブジェクトを決定させる手順と、
該手順により決定した特定オブジェクト属性に属する商品情報をディスプレイに表示させる手順とを実行させることを特徴とする映像表示プログラム。
【発明の詳細な説明】
【技術分野】
【０００１】
本発明は、ディスプレイを用いてオブジェクトを含むコンテンツ映像を仮想現実空間として見ることができる映像表示システム、映像表示方法及び映像表示プログラムに係り、特に、三次元（ＶＲ）ディスプレイを用いて立体視可能な三次元コンテンツ視聴中にプレイヤの視線情報に基づいてプレイヤの関心が高いオブジェクト（例えば、商品）を決定し、この関心が高いオブジェクトの属性に属する情報を表示することができる映像表示システム、映像表示方法及び映像表示プログラムに関する。
【背景技術】
【０００２】
近年、三次元ヘッドマウントディスプレイ（頭部装着ディスプレイ、Ｈｅａｄ  Ｍｏｕｎｔｅｄ  Ｄｉｓｐｌａｙ、ＨＭＤともいう）を用いて立体視可能なゲーム等の仮想現実空間である三次元コンテンツを視聴することが行われている。この三次元コンテンツは、プレイヤが視聴中に、例えば、ゲーム背景やキャラクタを三次元画像として効果音と共に鑑賞することができるため、臨場感のある仮想現実空間を楽しむことができ、このコンテンツ中には商品等の多数のオブジェクトが登場する。
【０００３】
この仮想現実空間が記載された文献としては、次の特許文献１が挙げられ、この特許文献１には、仮想現実空間内においてプレイヤが所定時間以上注視したカップ等の物体であるオブジェクトに設定されている複数階層のメニュー、例えば「ミルク」「砂糖」「入れる」「飲む」「動かす」等のサブメニューを表示し、このサブメニューによってアクション対象となる操作の情報表示を行い、所定時間以上の注視により当該サブメニューを実行する技術が記載されている。
【０００４】
また、下記の特許文献２には、仮想現実空間を利用したバーチャルデパートによる商品販売システムであって、各仮想店舗における棚を商品情報データベースの棚配置情報における棚の配置に従ってユーザのクライアント装置に提示すること、購入された商品に関する品質等の情報を提示すること、現実の店舗が所定の期間先に陳列する予定商品情報を提示すること、割引率やタイムセールを提示すること、ユーザが料理を指定した場合にその料理に必要な食品（食材）の陳列場所を提示することによって、商品の販売促進を行う技術が記載されている。
【先行技術文献】
【特許文献】
【０００５】
【特許文献１】特開２０１７−５８９７１号公報
【特許文献２】特開２００３−３０４６９号公報
【発明の概要】
【発明が解決しようとする課題】
【０００６】
上述の特許文献１に記載された技術は、仮想現実空間内においてプレイヤが所定時間以上注視した物体であるオブジェクトに予め設定されたアクションをサブメニューとして表示させる効果に留まる。
【０００７】
また、特許文献２に記載された技術は、仮想現実空間内において現実のデパートによる商品販売と同様な仮想現実を自宅でも提供することによる商品販売を促進することができる効果に留まる。
【０００８】
本発明の目的は、仮想現実空間における商品の購入及びユーザ利便性を向上することができる映像表示システム、映像表示方法及び映像表示プログラムを提供することである。
【課題を解決するための手段】
【０００９】
非限定的な観点によると、本発明は、コンテンツに登場するオブジェクトを含む複数の画像シーンをユーザが仮想現実空間として目視可能にディスプレイに表示し、前記オブジェクトに関する情報を表示する制御手段を含む映像表示システムであって、
前記仮想現実空間内においてユーザが視線を向けているオブジェクトへの視線情報を検出する視線情報検出手段と、前記オブジェクトの属性に属する商品情報を格納するオブジェクト情報テーブルとを備え、
前記制御手段が、前記視線情報検出手段を用いて検出した視線情報に基づいて特定のオブジェクトを決定し、該決定した特定オブジェクト属性に属する商品情報をディスプレイに表示することを主な特徴とする。
【００１０】
非限定的な観点によると、本発明は、仮想現実空間内においてユーザが視線を向けているオブジェクトへの視線情報を検出する視線情報検出手段と、前記オブジェクトの属性に属する商品情報を格納するオブジェクト情報テーブルと、コンテンツに登場するオブジェクトを含む複数の画像シーンをユーザが仮想現実空間として目視可能にディスプレイに表示し、前記オブジェクトに関する情報を表示する制御手段とを備えるコンピュータシステムの映像表示方法であって、
先の制御手段に、前記視線情報検出手段を用いて検出した視線情報に基づいて特定のオブジェクトを決定させる手順と、該手順により決定した特定オブジェクト属性に属する商品情報をディスプレイに表示させる手順とを実行させることを特徴とする。
【００１１】
非限定的な観点によると、本発明は、仮想現実空間内においてユーザが視線を向けているオブジェクトへの視線情報を検出する視線情報検出手段と、前記オブジェクトの属性に属する商品情報を格納するオブジェクト情報テーブルと、コンテンツに登場するオブジェクトを含む複数の画像シーンをユーザが仮想現実空間として目視可能にディスプレイに表示し、前記オブジェクトに関する情報の制御手段とを備えたコンピュータシステムの映像表示プログラムであって、
先の制御手段に、前記視線情報検出手段を用いて検出した視線情報に基づいて特定のオブジェクトを決定させる手順と、該手順により決定した特定オブジェクト属性に属する商品情報をディスプレイに表示させる手順とを実行させることを特徴とする。
【発明の効果】
【００１２】
本発明による映像表示システム、映像表示方法及び映像表示プログラムは、ユーザに適した情報を表示することができる。
【図面の簡単な説明】
【００１３】
【図１】本発明の対象となる三次元ヘッドマウントディスプレイを用いてコンテンツを視聴する全体構成例を示す図である。
【図２】本実施例による三次元コンテンツを提供するハードウェア構成例を示す図である。
【図３】本実施例による仮想現実による初期店舗内表示例を示す図である。
【図４】本実施例による仮想現実による他商品提示窓を含む店舗内表示例を示す図である。
【図５】本実施例による仮想現実による特定商品店舗内表示例を示す図である。
【図６】本実施例による仮想現実による特定商品店舗内表示例を示す図である。
【図７】本実施例によるオブジェクト情報テーブル例を示す図である。
【図８】本実施例による映像表示方法の動作例を示すフローチャート図である。
【図９】他の実施例によるオブジェクト情報テーブル例を示す図である。
【発明を実施するための形態】
【００１４】
以下、本発明の一実施例によるヘッドマウントディスプレイ（ＨＭＤ）を用いて立体視可能な三次元コンテンツ視聴中にプレイヤの視線情報に基づいてプレイヤの関心が高いオブジェクト（例えば、商品）を決定し、この関心が高いオブジェクトの属性に属する情報を表示することができる映像表示システム、映像表示方法及び映像表示プログラムの一実施例を図面を参照して説明する。
【００１５】
［構成］
本発明の対象とする映像表示システムは、三次元映像等の仮想現実空間用のコンテンツをプレイヤに対して表示するものであって、このシステムは、例えば、図１に示す如く、三次元の画像等のコンテンツデータ及びＨＭＤ用アプリケーションソフトウェアをインストールしたコンピュータ１０と、該コンピュータ１０の通常の画像出力先であるディスプレイ１２と、該コンピュータ１０を操作するための入力デバイスであるキーボード１３と、プレイヤ１５の頭部に装着され、プレイヤ（ユーザとも呼ぶ）１５が仮想現実空間内において注視している視線情報を（例えば、目尻や角膜反射を基準点とし、虹彩や瞳孔を動点とし、基準点に対する動点の位置関係により視線を検出手法により）検出する視線情報センサ２０ａ（図２）及びプレイヤ１５頭部の３次元の動きを検出する６軸センサ２０ｂ（図２）を備えたヘッドマウントディスプレイ２０と、該コンテンツデータがゲームの際にはゲーム専用のコントローラ２３とを備える。
【００１６】
また、本実施例においてはヘッドマウントディスプレイ２０がハードウェアである視線情報センサ２０ａを備える例であるが、後述するＲａｙＳｃｒｉｐを使用してソフトウェア的に視線情報を検出しても良く必須ではない。また、本実施例においてはコンピュータとヘッドマウントディスプレイを含む構成を映像表示システムと呼ぶが、図１に示した構成に限られるものではなく、例えば、ヘッドマウントディスプレイとゲーム専用機器とを含む構成、本実施例の動作を実行するためのデータ及びプログラムを格納した記憶媒体を含む構成も映像表示システムである。
【００１７】
上述のコンピュータ１０は、図２に示す如く、ヘッドマウントディスプレイ２０及びゲーム専用のコントローラ２３に接続され、一般のパーソナルコンピュータ同様に、ＣＰＵ５１、メモリ５２、ＨＤＤ（ハードディスク装置）５０、通信部５３、ヘッドマウントディスプレイ２０に映像を提供する表示制御部５５と、音響効果音等を発生する音声処理部５８、ＧＰＵ（図示せず）、各種インフェース等のハードウェアにより構成され、該ＨＤＤ５０等の記憶手段に記憶したＯＳ及び各種アプリケーションソフトウェア並びに各種データに基づいてＣＰＵ５１がデータ処理を実行する。
【００１８】
このコンピュータ１０は、本実施例の場合、記憶手段に三次元の画像等のコンテンツデータを含むＨＭＤ用アプリケーションソフトウェアがインストールされ、コンピュータ１０及びヘッドマウントディスプレイ２０が協働してプレイヤ１５に対して三次元画像コンテンツデータであるプレイヤ視野画像２１（図１）を表示し、プレイヤ１５が頭部を動かすことやキーボード１３等を操作することによって三次元画像に含まれる物体に対して接近や遠ざかり・見回し等を行うことができるように構成されている。本実施例によるヘッドマウントディスプレイ２０は、プレイヤ１５が仮想現実空間内において注視している視線情報を検出する視線情報センサ２０ａと、プレイヤ１５頭部の３次元の動きを検出する６軸センサ２０ｂを備える。
【００１９】
本実施例における記憶手段であるＨＤＤ５０は、仮想現実空間を表示制御する映像表示プログラムにデータとして含まれ、仮想現実空間内に出現するオブジェクト（例えば、商品）毎に一意に付与されたオブジェクトコード（例えば、ＩＤ０００１等）と、このオブジェクトコードが付与されたオブジェクトが有する属性と、このオブジェクトの属性に属する商品情報（例えば、製造メーカ名・固有商品名・多数ユーザによる評価・価格その他）を格納するオブジェクト情報テーブルを格納している。
【００２０】
なお、オブジェクトの「属性」とは、一般には、あるもの（物体、事象事例）に共通して備わっているとされる性質や特徴のことであって、本実施例によるオブジェクトが商品の場合、一般商品名・商品の対象性別・商品分野・性質・性能・形状・機能その他が挙げられ、オブジェクトの「情報」とは、製造メーカ元・商品ブランド名・顧客による評価・販売価格・ポイント率・店舗ＵＲＬ等が挙げられるが、この「属性」は情報の一部であることから「情報」と言い換えることもできる。
【００２１】
このオブジェクト情報テーブルの具体例は、例えば図７に示す如く、一意の識別子であるオブジェクトコード毎に、属性１が「帽子」、属性２が「レディス」、属性３が「ファッション」〜情報１が「メーカＡ」、情報２が星示しで表す「評価」、情報３が「ショップ名」、情報４が「価格」、情報５が商品の「写真」、情報６が店舗等のＵＲＬの如く格納されている。すなわち、本実施例によるオブジェクト情報テーブルは、オブジェクトの属性に属する商品情報を格納している。
【００２２】
このオブジェクト情報テーブルのテーブル構成は図７に示す１オブジェクトに対して複数別個に設定されるものに限られるものではなく、例えば図９に示した如き、１つのオブジェクトに対して属性が大中小と多段階に区分され、小属性中に複数の属性種が含まれるように構成しても良い、この図９に示す例は、大属性「アルコール飲料」に含まれる中属性「ワイン」の小属性として、「産地」「ワイナリ」「種別」「生産年」「名称」「価格」その他の属性（情報とも呼ぶ）が含まれるものであっても良く、オブジェクトコード毎に当該オブジェクトの属性に属する商品情報や属性を格納するものであれば良い。
【００２３】
本実施例における映像表示システムは、三次元映像等の仮想現実空間用のコンテンツとして複数種の商品を販売する仮想店舗を表示するものであって、例えば、図３に示す如く、仮想店舗の３つの棚に、婦人用の商品として、２つの帽子３ａ及び３ｂ、２つの鞄４ａ及び４ｂ、３つの靴３ｃ〜３ｅの如く複数の商品（オブジェクト）を陳列した婦人用品の仮想現実空間を表示し、この仮想現実空間内においてユーザが顧客として仮想店舗内の商品を見たり購入するショッピング例を想定するが、この例に限定されるものではない。
［動作］
【００２４】
さて、本実施例による映像表示システムは、図３に示した婦人用品店舗の仮想現実空間においてユーザが店舗内を歩き回り、複数の商品を見たり購入するものを想定する。特に本実施例においてはユーザが特定の商品（コンテンツ）に視線を所定時間以上向けたとき（注視したとき）、ヘッドマウントディスプレイ２０の視線情報センサ２０ａがユーザの（目尻や角膜反射を基準点とし、虹彩や瞳孔を動点とし、基準点に対する動点の位置関係により）視線情報を検出する視線情報機能、又は、ユニティ・テクノロジーズ社から販売されているゲーム開発プラットフォーム（ゲームエンジン）である製品「Ｕｎｉｔｙ」の簡易プログラムであるＲａｙＳｃｒｉｐｔ（レイ  スプクリスト：例えば、仮想のレーザービームをｒａｙに沿って原点から発してシーンに衝突するまで進ませ、オブジェクト情報についてＲａｙｃａｓｔＨＩＴからどの座標かを返すシューティングゲームに使用されるスプリクト）を用いてユーザが注視しているオブジェクトを検出する視線情報機能を備え、次のように動作する。
【００２５】
この本実施例による映像表示システムによる映像表示プログラム及び方法は、図８に示す如く、三次元の画像等の仮想現実空間用のゲームコンテンツの場合、ゲームのスタートに続いて制御手段であるＣＰＵ５１がオブジェクト情報テーブルを参照して次の各ステップを実行する。
【００２６】
（１）ステップＳ１０１：
ゲーム開始に続いて過去のゲーム履歴やユーザ設定等のゲームデータの読み込みを行うステップ。
（２）ステップＳ１０２：
該ステップＳ１０１により読み込んだゲームデータに基づいてゲームを開始又は再開するゲームデータの読み取りを行うステップ。
【００２７】
（３）ステップＳ１０５：
該ステップＳ１０２により読み込んだゲームデータに基づき、例えば図３に示した如き、仮想店舗の３つの棚に、婦人用の商品として、２つの帽子３ａ及び３ｂ、２つの鞄４ａ及び４ｂ、３つの靴３ｃ〜３ｅの如く複数の商品（オブジェクト）を陳列した婦人用品の仮想現実空間を表示し、この仮想現実空間内においてユーザが顧客として仮想店舗内の商品を見たり購入するショッピングゲームを進行するステップ。
【００２８】
（４）ステップＳ１０７：
該ステップＳ１０５によるゲーム進行中にユーザ操作によりゲームを中断又は終了する操作を行った否かを判定し、中断又は終了と判定したときにゲームを中断又は終了するステップ。
（５）ステップＳ１０９：
このステップＳ１０７においてゲームの中断又は終了操作が行っていないと判定したとき、前述の視線情報検出機能によりユーザが特定のオブジェクト（商品）に視線を向けているか／注視しているか否かの注視判定を行い、特定のオブジェクト（商品）に視線を向けているか／注視している視線情報を検出していないと判定したときに先のステップＳ１０５に戻るステップ。
【００２９】
このユーザが特定のオブジェクト（商品）に視線を向けているか／注視しているか否かの視線情報有無の判定は、例えば、図３に示す店舗内の仮想現実空間であり、中段の棚に陳列されている同一属性の２つの鞄４ａ及び４ｂに対して破線円で示すユーザ視線７０ａ及び７０ｂが向けられている場合に視線情報有りと判定する。判定手法としては、図３〜図５を参照した次の注視判定手法が挙げられる。
【００３０】
（ａ）複数の鞄４ａ及び４ｂを交互に向けた視線の動きが、同一属性群（鞄×レディス×ファッション）のオブジェクトを見る視線軌道が所定回数以上と判定したとき、ユーザの関心が高い特定の属性群オブジェクトと判定する注視履歴判定手法。すなわち、図５に示す仮想現実店舗において同一属性群（「鞄」且つ「レディス」且つ「ファッション」の属性の組み合わせ）の３商品をユーザが矢印のように見回したか否かを判定し、同一属性群の複数商品をユーザが見回したと判定したとき、ユーザの関心が高い特定の属性群オブジェクトと判定する注視履歴判定手法。
【００３１】
（ｂ）複数の２つの鞄４ａ及び４ｂを交互に向けた視線が所定回数以上、同一属性（同一属性群＝鞄×レディス×ファッション）のオブジェクトを見ていると判定したとき、又は相対的に多いと判定したとき、ユーザの関心が高い特定の属性群オブジェクトと判定する注視回数判定手法。
【００３２】
（ｃ）同一属性の鞄に対してユーザ視線７０ａが所定時間（例えば、３秒）以上注視した注視時間を累積し、所定の蓄積時間（例えば、１０秒）を越えたとき、又は相対的に長い蓄積時間のオブジェクトに関心が高いと判定する注視時間判定手法。
（ｄ）同一属性の鞄に対してユーザが接近してオブジェクトの詳細を見る回数及び時間が所定値以上のときに判定する判定手法。
【００３３】
この注視判定手法は、前述のものに限られるものではなく、仮想現実空間が図６に示すワインショップであり、複数のワイン５ａ〜５ｄに対してＱＲタグが貼り付けられ、又は商品の説明として説明書９が立てられ、ユーザがＱＲタグを読んで商品の詳細情報を検索したり、説明書９を拡大して読んだりすることを注視判定手法としても良く、ＱＲタグはＡＲ（拡張現実）タグであっても良い。また、注視履歴判定手法・注視回数判定手法・注視時間判定手法に用いる判定情報（視線軌道情報・注視回数情報・時間判定情報）はコンピュータシステムのワークメモリに一時データとして格納され、カウントアップ又は累積される。
【００３４】
（６）ステップＳ１１１：
先のステップＳ１０９においてユーザが特定のオブジェクト（商品）に視線を向けている／注視していると判定したとき、先のステップＳ１０９により特定したオブジェクトの商品情報をオブジェクト情報テーブルから読み出してユーザに表示するステップ。
【００３５】
（７）ステップＳ１１３：
先のステップＳ１１１により表示した商品情報に対してユーザが何らかのアクション（例えば、商品購入・商品詳細表示）が成された否かを判定し、アクションがされていないと判定したときにステップＳ１０５に戻るステップ。
【００３６】
（８）ステップＳ１１５：
先のステップＳ１１１により表示した商品情報に対してユーザが何らかのアクション（例えば、商品購入・商品詳細表示）がされたと判定したとき、所定のアクションを実行し、ステップＳ１０５に戻るステップ。
【００３７】
この所定のアクションとは、例えば、婦人用鞄が特定の商品と判定されたとき、例えば、同一属性群（「鞄」且つ「レディス」且つ「ファッション」の属性の組み合わせ）のオブジェクトの商品情報をオブジェクト情報テーブルから読み出し、図４に示す如く、同一属性群の他商品をユーザにサブメニュー表示することや、図５に示した同一属性群の商品を取り扱っている他の鞄ショップの仮想現実空間に移行することが挙げられる。
【００３８】
なお、本実施例では、ユーザの視線情報に基づいて商品情報を表示する例を示したが、商品情報に限らず各種のコンテンツを表示してもよい。例えば、映像表示システムは、ユーザの視線情報に基づいて、ゲーム内に広告コンテンツを表示してもよい。一例としては、映像表示システムは、ユーザが過去に視線を滞在させた時間が長いオブジェクトが属する分類と同一又は類似する分類に属する商品の広告コンテンツを、ゲーム内のスペースに表示させてもよい。一態様としては、映像表示システムは、ユーザがゲーム内の「オレンジジュース」に視線を滞在させた時間が長い場合に、「オレンジジュース」が属する分類「清涼飲料水」と同一の分類に属する「アップルジュース」や、「オレンジジュース」が属する分類「清涼飲料水」と類似する分類「炭酸飲料水」に属する「サイダー」などの広告コンテンツを、ＭＭＯＲＰＧ（Ｍａｓｓｉｖｅｌｙ  Ｍｕｌｔｉｐｌａｙｅｒ  Ｏｎｌｉｎｅ  Ｒｏｌｅ−Ｐｌａｙｉｎｇ  Ｇａｍｅ）内のメニュー画面や各種の空きスペースに表示してもよい。
【００３９】
また、本実施例では、ユーザの視線情報に基づいて商品情報や広告コンテンツをゲーム内に表示する例を示したが、ゲーム内に限らず各種の領域に表示してもよい。例えば、ユーザのＶＲゲーム内における視線情報に基づいて、ＥＣ（Ｅ−Ｃｏｍｍｅｒｃｅ）サイトやＥＣモールの表示領域に商品情報を表示してもよい。一例としては、ユーザの視線情報に基づいて、インターネットショッピングサイトのレコメンド領域に商品情報を表示してもよい。
【００４０】
このように本実施例による映像表示システム、映像表示方法及びプログラムは、仮想現実空間内においてユーザが視線を向けているオブジェクトへの視線情報を検出する視線情報検出手段と、オブジェクトの属性に属する商品情報を格納するオブジェクト情報テーブルとを設け、視線情報検出手段を用いて検出した視線情報に基づいて特定のオブジェクトを決定し、の決定した特定オブジェクト属性に属する商品情報をディスプレイに表示することによって、仮想現実空間における商品の購入及びユーザ利便性を向上することができる。
【符号の説明】
【００４１】
３ａ〜３ｂ  帽子、３ｃ〜３ｅ  靴、４ａ〜４ｆ  鞄、５ａ〜５ｄ  ワイン、
１０  コンピュータ、１２  ディスプレイ、１３  キーボード、１５  プレイヤ、
２０  ヘッドマウントディスプレイ、２０ａ  視線情報センサ、
２０ｂ  ６軸センサ、23  コントローラ、21  プレイヤ視野画像、
５０  ハードディスク装置、５１  ＣＰＵ、５２  メモリ、５３  通信部、
５５  表示制御部、５８  音声処理部、
【図１】
2019160112.tif 000003
【図２】
2019160112.tif 000004
【図３】
2019160112.tif 000005
【図４】
2019160112.tif 000006
【図５】
2019160112.tif 000007
【図６】
2019160112.tif 000008
【図７】
2019160112.tif 000009
【図８】
2019160112.tif 000010
【図９】
2019160112.tif 000011